(57)【要約】【課題】笠木設置の作業工数を少なくでき、また、タイル等の仕上げ材の割付で笠木と仕上げ材との間に大きな隙間が生じるような場合でも、この隙間を目立たなくして建物の美観を向上できる笠木および笠木設置構造を提供する。【解決手段】笠木２は、外壁１の頂部を覆う笠木本体部２０と、上記笠木本体部２０に一体的に設けられ、上記外壁１の仕上げ材１２の上部側に位置する見切り部３と、を備える。上記見切り部３は、上記笠木本体部２０の屋外側垂部２０ａの下端よりも下に位置する下側部位３２を有しており、上記下側部位３２の屋外側端面３２ａが上記屋外側垂部２０ａの真下に位置する。上記下側部位３２に形成されている最下面部３２ｂが上記仕上げ材１２の上端面と対面して位置する。【選択図】図１
2016069900.tif 000002
【特許請求の範囲】
【請求項１】
外壁の頂部を覆う笠木本体部と、上記笠木本体部に一体的に設けられ、上記外壁の仕上げ材の上部側に位置する見切り部と、を備えたことを特徴とする笠木。
【請求項２】
請求項１に記載の笠木において、上記見切り部は上記笠木本体部の屋外側垂部の下端よりも下に位置する下側部位を有しており、上記下側部位の屋外側端面が上記屋外側垂部の真下に位置するか、または当該真下よりも屋外側に所定範囲内で出ている若しくは屋内側に所定範囲内で入り込んでいることを特徴とする笠木。
【請求項３】
請求項２に記載の笠木において、上記下側部位に形成されている最下面部が上記仕上げ材の上端面と対面して位置することを特徴とする笠木。
【請求項４】
請求項２に記載の笠木において、上記下側部位に形成されている最下部が上記仕上げ材の屋外側で当該仕上げ材の上端面よりも下に位置することを特徴とする笠木。
【請求項５】
請求項１〜請求項４のいずれか１項に記載の笠木において、上記笠木本体部に上記見切り部が可動に設けられていることを特徴とする笠木。
【請求項６】
請求項１〜請求項４のいずれか１項に記載の笠木において、上記見切り部の一部が可動に設けられていることを特徴とする笠木。
【請求項７】
請求項１〜請求項６のいずれか１項に記載の笠木を用いた構造であって、上記笠木本体部が外壁の頂部を覆うように配置され、上記見切り部が上記外壁の仕上げ材の上方の位置で上記外壁の下地に固定されたことを特徴とする笠木設置構造。
【発明の詳細な説明】
【技術分野】
【０００１】
この発明は、バルコニー等の外壁の頂部に設けられる笠木および笠木設置構造に関する。
【背景技術】
【０００２】
タイル等の仕上げ材が施される外壁の場合、上記仕上げ材の割付により、外壁上部等の箇所で半端を作るとなると施工の負担になる。一方、半端を作らないとすると、笠木と仕上げ材との間に大きな隙間が生じる。例えば、バルコニー等の外壁においては、その頂部に設けられる笠木と上記仕上げ材の上端との間に高さ方向の隙間が生じると、建物の意匠性が悪くなる。また、笠木に上記仕上げ材を差し込む納まりであると、上記仕上げ材の厚みに応じて複数種の笠木を設定する必要がある。
【０００３】
特許文献１には、笠木を被せる手摺り壁等の構造物躯体との間の隙間の通気性を確保して塞ぎ、この隙間に求められる防水性と通気性の両方を満足する隙間塞ぎ構造及が開示されている。具体的には、構造物躯体である手摺り壁の上面にブラケットを介して笠木が取り付けられ、笠木の側面部と手摺り壁の側面との間に隙間がある場合、隙間を取付部と水平延出部からなる塞ぎ材で塞ぐとともに、延出部の先端に笠木の側面部との間で通気部を残し、かつ、延出部を、笠木の屈曲部に対し、手摺り壁の突出方向である上方に離間させて手摺り壁の厚さ方向には重複させ、蛇行した通気路を形成している。
【先行技術文献】
【特許文献】
【０００４】
【特許文献１】特開２００１−１８２２５９号公報
【発明の概要】
【発明が解決しようとする課題】
【０００５】
しかしながら、上記特許文献１の構造では、上記塞ぎ材は笠木とは別体のものであり、作業工数が多くなる。さらに、上記塞ぎ材は建物の美観を意識した造りにはなっておらず、また、上記タイル等の仕上げ材の割付で笠木と仕上げ材との間に大きな隙間が生じるという問題を解決できない。
【０００６】
この発明は、上記の事情に鑑み、笠木設置の作業工数を少なくでき、また、タイル等の仕上げ材の割付で笠木と仕上げ材との間に大きな隙間が生じるような場合でも、この隙間を目立たなくすることができ、建物の美観を向上できる笠木および笠木設置構造を提供することを課題とする。
【課題を解決するための手段】
【０００７】
この発明の笠木は、上記の課題を解決するために、外壁の頂部を覆う笠木本体部と、上記笠木本体部に一体的に設けられ、上記外壁の仕上げ材の上部側に位置する見切り部と、を備えたことを特徴とする。
【０００８】
上記の構成であれば、上記笠木本体部と見切り部とが一体的に設けられているので、笠木設置の作業工数を少なくできる。
【０００９】
上記見切り部は上記笠木本体部の屋外側垂部の下端よりも下に位置する下側部位を有しており、上記下側部位の屋外側端面が上記屋外側垂部の真下に位置するか、または当該真下よりも屋外側に所定範囲内で出ている若しくは屋内側に所定範囲内で入り込んでいてもよい。これによれば、上記笠木本体部の上記屋外側垂部の重厚感が低いような場合でも、上記見切り部における上記下側部位を目立たせることで建物の美観を向上することができる。
【００１０】
上記下側部位に形成されている最下面部が上記仕上げ材の上端面と対面して位置してもよい。これによれば、上記仕上げ材の厚みの変化に対して上記最下面部の見える幅が変わるだけなので、上記仕上げ材の厚みの変化によって建物の美観が大きく左右されることがない。
【００１１】
或いは、上記下側部位に形成されている最下部が上記仕上げ材の屋外側で当該仕上げ材の上端面よりも下に位置するようにしてもよい。これによれば、上記仕上げ材の上端面および上端の屋外側の角部が上記見切りで隠され、この見切りによって建物の美観を向上することができる。
【００１２】
上記笠木本体部に上記見切り部が可動に設けられていてもよい。これによれば、上記笠木本体部に対して可動である上記見切り部の位置を調節することにより、例えば、上記見切り部と外壁の仕上げ材の上端との間の高さ方向に生じる隙間を小さくして目立たなくすることができる。また、例えば、上記仕上げ材の厚みが薄い場合に生じる、上記仕上げ材の屋外側面と上記下側部位における上記最下部との間に生じる隙間を、上記見切り部の位置を調節することにより、小さくすることができる。上記見切り部の一部が可動に設けられた構成においても同様に、上記隙間を小さくすることができる。
【００１３】
また、この発明の笠木設置構造は、上記笠木を用いた構造であって、上記笠木本体部が外壁の頂部を覆うように配置され、上記見切り部が上記外壁の仕上げ材の上方の位置で上記外壁の下地に固定されたことを特徴とする。かかる構成であれば、上記見切り部が上記外壁の下地に固定されるので、笠木の固定強度が向上する。
【発明の効果】
【００１４】
本発明であれば、笠木設置の作業工数を少なくできる。また、タイル等の仕上げ材の割付で笠木と仕上げ材との間に大きな隙間が生じるような場合でも、この隙間を目立たなくすることができ、建物の美観を向上できるという効果を奏する。
【図面の簡単な説明】
【００１５】
【図１】この発明の実施形態の笠木および笠木設置構造の概略の断面構造を示した説明図である。
【図２】図１の笠木設置構造で用いられている笠木を示した側面図である。
【図３】図１の笠木設置構造で用いられている笠木をブラケットに装着する手順の一例を示した説明図である。
【図４】この発明の他の実施形態の笠木を示した側面図である。
【図５】この発明の他の実施形態の笠木を示した側面図である。
【図６】図５の笠木を用いた笠木設置構造の概略の断面構造を示した説明図である。
【図７】同図（Ａ）および（Ｂ）は、それぞれこの発明の他の実施形態の笠木を示した側面図である。
【図８】同図（Ａ）はこの発明の他の実施形態の笠木を示した側面図であり、同図（Ｂ）は連結板および見切り部の上側部位を示した概略の斜視図である。
【図９】この発明の他の実施形態の笠木および笠木設置構造の概略の断面構造を示した説明図である。
【図１０】図９の笠木設置構造で用いられている笠木を示した側面図である。
【図１１】図１の笠木設置構造において、笠木の取り付けを容易化した例を示した側面図である。
【発明を実施するための形態】
【００１６】
以下、この発明の実施の形態を添付図面に基づいて説明する。
図１に示すように、この実施形態の笠木２は、例えば、陸屋根におけるパラペットとなる外壁１に取り付けられるものであり、上記外壁１の頂部を覆う笠木本体部２０と、上記外壁１の仕上げ材１２の上部側に配置されて上記外壁１の下地壁（下地）１１に固定される見切り部３とを備える。上記見切り部３は、上記笠木本体部２０に一体的に設けられている。
【００１７】
上記外壁１の中心部にはフレーム１３が存在しており、このフレーム１３に複数の層をなすように板部材１４が配置されて固定されている。上記外壁１の屋外側には、上記下地壁１１がビス等によって上記板部材１４に固定される。また、上記外壁１の頂部および陸屋根本体部は防水シート１５で覆われている。さらに、上記外壁１の頂部にはブラケット１６が一定間隔で点在配置されており、このブラケット１６に上記笠木本体部２０が係止されるようになっている。
【００１８】
上記外壁１の仕上げ材１２は、例えば、タイルであり、上記下地壁１１に接着剤によって固定される。この実施形態では、タイル厚が７．５〜２２．０ｍｍ程度とされ、上記接着剤の厚みが１．５ｍｍ程度であるので、上記下地壁１１に対する上記タイルの突出量は９．０〜２３．５ｍｍ程度の範囲で変化することになる。
【００１９】
上記笠木本体部２０は、図２にも示すように、屋外側垂部２０ａと屋内側垂部２０ｂが形成された断面略コ字形状を有している。上記屋外側垂部２０ａの下部側には接続部２０ｃが形成されており、屋内側垂部２０ｂの下部側内面には係止部２０ｄが形成されている。上記接続部２０ｃによって上記笠木本体部２０と上記見切り部３とが固定化されている。また、上記係止部２０ｄによって、当該笠木本体部２０が上記ブラケット１６に係止される。
【００２０】
上記見切り部３は、上側部位３１と下側部位３２とを有しており、上記笠木本体部２０と同様の長尺に形状に形成される。そして、上記見切り部３は、上記上側部位３１の鉛直部を貫通して設けられたビス４によって上記外壁１の下地壁１１に固定される。また、上記下側部位３２は、閉鎖断面形状を有しており、このような笠木２は、例えばアルミニウム押出成形によって作製される。
【００２１】
上記見切り部３の下側部位３２は、上記笠木本体部２０の屋外側垂部２０ａよりも下に位置する。上記下側部位３２の屋外側端面３２ａは、上記屋外側垂部２０ａの真下に位置している。上記下地壁１１に対する上記下側部位３２の突出量は、例えば、３８．０ｍｍ程度となっている。なお、上記下側部位３２の屋外側端面３２ａは、上記屋外側垂部２０ａの真下よりも屋外側に所定範囲内で出ている若しくは屋内側に所定範囲内で入り込んでいるようにしてもよい。例えば、上記下側部位３２の屋外側端面３２ａは、上記屋外側垂部２０ａの真下よりも屋外側に４０ｍｍ以内（望ましくは３５ｍｍ以内）の範囲で出ているか、若しくは屋内側に１０ｍｍ以内（望ましくは５ｍｍ以内）の範囲で入り込んでいる。
【００２２】
上記下側部位３２における最下面部３２ｂは、水平に形成され、上記仕上げ材１２の水平な上端面と対面しており、上記仕上げ材１２の厚みの変化（下地壁１１に対するタイル突出量の変位）に対して上記最下面部３２ｂの見える幅が変わる。すなわち、上記仕上げ材１２の厚みが厚いときには上記最下面部３２ｂの見える幅が狭くなり、上記仕上げ材１２の厚みが薄いときには上記最下面部３２ｂの見える幅が広くなる。また、上記下側部位３２と上記仕上げ材１２との間では底目地が採られており、立体感が生じるようにしている。
【００２３】
上記の構成であれば、上記笠木本体部２０と見切り部３とが一体的に設けられているので、笠木設置の作業工数を少なくできる。
【００２４】
また、上記見切り部３は上記笠木本体部２０の屋外側垂部２０ａよりも下に位置する上記下側部位３２を有しており、上記下側部位３２の屋外側端面３２ａが上記屋外側垂部２０ａの真下に位置しているので、上記笠木本体部２０の屋外側垂部２０ａの重厚感が低いような場合でも、上記見切り部３における上記下側部位３２を目立たせて建物の美観を向上することができる。なお、上記下側部位３２の屋外側端面３２ａが上記屋外側垂部２０ａの真下よりも屋外側に所定範囲内で出ている若しくは屋内側に所定範囲内で入り込んでいる場合でも、上記見切り部３を目立たせて建物の美観を向上することができる。
【００２５】
また、上記下側部位３２に形成されている最下面部３２ｂが上記仕上げ材１２の上端面と対面して配置されているので、上記仕上げ材１２の厚みの変化に対して上記最下面部３２ｂの見える幅が変わる構造となる。このように、上記仕上げ材１２の厚みの変化に対して上記最下面部３２ｂの見える幅が変わるだけであるので、上記仕上げ材１２の厚みの変化によって建物の美観が大きく左右されることがない。
【００２６】
なお、例えば、図３（Ａ）及び図３（Ｂ）に示すように、上記笠木２を上記外壁１の頂部に取り付けるときには、上記笠木本体部２０の屋内側垂部２０ｂ側を当該笠木本体部２０の弾性の範囲内で上側に曲げながら上記見切り部３を上記ブラケット１６の下側に図の矢印方向から入れる。そして、上記見切り部３を上記下地壁１１に当たるまで押し込んだ後、上記係止部２０ｄを上記ブラケット１６に係止させる。なお、図１１に示すように、屋外側端の垂れ量が小さいブラケット１６Ａを用いると、上記笠木本体部２０を取り付けることが容易になる。以下に示す他の構造においても、上記ブラケット１６Ａを用いることが可能である。
【００２７】
図４に示すように、上記笠木２の上記見切り部３は閉鎖断面形状を有していなくてもよい。また、上記接続部２０ｃに複数の通気口２０ｅを一定間隔で形成することにより、上記笠木本体部２０の内面側に通じる通気路が確保されるようにしてもよい。上記通気口２０ｅを形成する場合、板部材の折り曲げ加工で上記笠木２を作製することとし、板部材の段階で上記通気口２０ｅを打ち抜き加工で形成してもよい。また、この場合に、上記係止部２０ｄを上記板部材の段階でプレス加工により形成するようにしてもよい。このような構造の笠木２は板部材の折り曲げ加工で作製できるので、低コスト化が図りやすい。
【００２８】
図５および図６に示す他の実施形態の笠木２は、見切り部３００を備える。この見切り部３００は、上側部位３０１と下側部位３０２を有しており、上記笠木本体部２０と同様の長尺形状に形成される。そして、上記見切り部３００は、上記上側部位３０１の鉛直部を貫通して設けられたビス４によって上記外壁１の下地壁１１に固定される。
【００２９】
上記下側部位３０２は断面略Ｌ字形状に形成されている。そして、上記下側部位３０２の断面略Ｌ字形状における最下部３０２ａは、屋内側に向かって略水平に突出している。上記最下部３０２ａは、上記仕上げ材１２の屋外側で当該仕上げ材１２の上端面よりも下に位置する。これによれば、上記仕上げ材１２の上端面および上端の屋外側の角部が上記見切り部３００で隠され、この見切り部３００によって建物の美観を向上することができる。ただし、上記仕上げ材１２の厚みが薄い場合に、当該仕上げ材１２の屋外側面と上記最下部３０２ａとの間の隙間Ｇ２が大きくなって美観を損なうおそれがある。
【００３０】
図７（Ａ）に示す他の実施形態の笠木２では、上記接続部２０ｃは、笠木本体部側の板部と見切り部側の板部とからなり、これらは重なり合っている。そして、上記笠木本体部側の板部および上記見切り部側の板部には、屋内外方向に長い長孔が上記屋内外方向に直交する方向に複数形成されている。上記長孔の全てまたは一部にボルト・ナット６が設けられることで、上記笠木本体部２０に上記見切り部３００が可動に一体化される。この場合の可動方向は屋内外方向であり、上記見切り部３００を屋内外方向に移動させることで、上記仕上げ材１２の屋外側面と上記最下部３０２ａとの間の上記隙間Ｇ２を小さくすることができる。なお、上記見切り部３００の移動で当該見切り部３００と上記下地壁１１との間に隙間が生じる場合には、この隙間を埋めるようにスペーサーを配置し、上記見切り部３００をビス４によって上記下地壁１１に固定するようにしてもよい。また、上記ボルト・ナット６を締め付けて、上記笠木本体部２０と上記見切り部３００とを相互に固定させてもよい。上記ボルト・ナット６に代えて螺子締結しない係合部材を用いてもよく、この場合には、上記見切り部３００をビス４によって上記下地壁１１に固定することとする。上記長孔は、通気口としても機能できる。
【００３１】
図７（Ｂ）に示す他の実施形態の笠木２では、上記見切り部３００の一部である上記下側部位３０２が上記上側部位３０１に可動に設けられている。上記下側部位３０２の上側板部と、上記上側部位３０１の下側板部とが重なり合っている。そして、上記下側部位３０２の上側板部および上記上側部位３０１の下側板部には、屋内外方向に長い長孔が当該屋内外方向に直交する方向に複数形成されている。上記長孔の全てまたは一部にボルト・ナット６が設けられることで、上記笠木本体部２０に上記見切り部３００が可動に設けられる。この場合の可動方向は屋内外方向であり、上記下側部位３０２を屋内外方向に移動させ、上記ボルト・ナット６で固定することで、上記仕上げ材１２の屋外側面と上記最下部３０２ａとの間の上記隙間Ｇ２を小さくすることができる。上記上側部位３０１は、スペーサーを用いなくてもビス４によって上記下地壁１１に固定することができる。
【００３２】
図８（Ａ）に示す他の実施形態の笠木２では、上記上側部位３１の鉛直板部が、笠木本体部側の板部と見切り部側の板部とからなり、これらが連結板２１を介在させて重ね合わされている。上記連結板２１は、図８（Ｂ）にも示すように、屋外方向に突出する突起２１ａを横方向に一定間隔で複数有している。上記連結板２１は、その屋内側面が、例えば接着剤によって、上記上側部位３１における笠木本体部側の板部に固定される。そして、上記上側部位３１における見切り部側の板部には、上下方向に長い長孔３１ａが左右方向に複数形成されている。上記突起２１ａの先端部は上記長孔３１ａの幅よりも少し大きくしてあり、上記突起２１ａの先端部を一旦上記長孔３１ａに通すと、簡単に抜けることがなく、上記笠木本体部２０に上記見切り部３が可動に設けられたものとなる。このような構造の笠木２であれば、上記笠木本体部２０と上記見切り部３との相互位置を上下に調節することができる。したがって、図１に示した隙間Ｇ１を、極力小さくすることができる。上記見切り部３は、上記上側部位３１の上記鉛直板部および上記連結板２１を貫通するビス４によって上記下地壁１１に固定できる。
【００３３】
なお、上記連結板２１を用いた可動構造は、図７（Ａ）に示した構造において、上記ボルト・ナット６に変わる螺子締結しない係合部材として用いることが可能である。
【００３４】
図９および図１０に示す他の実施形態の笠木２は、ヒンジ２２によって上記笠木本体部２０に上記見切り部３が回動可能に設けられている。この構造では、上記笠木本体部２０を外壁１の頂部に設けられたブラケット１６に上側から装着することが可能である。このため、上記屋内側垂部２０ｂの下部側内面に形成された上記係止部２０ｄに加え、上記屋外側垂部２０ａの下部側内面にも係止部２０ｄを形成するようにしてもよい。
【００３５】
上記笠木本体部２０を上記ブラケット１６に装着する際には、上記見切り部３は屋外側に回動させておく。この装着後、上記見切り部３を屋内側に回動させ、上記見切り部３をビス４によって上記下地壁１１に固定する。なお、図９および図１０に示された上記回動型の見切り部３は、上記仕上げ材１２の厚みの変化に対して上記最下面部３２ｂの見える幅が変わり、また、上記下側部位３２に形成されている最下部（上記最下面部３２ｂの屋外側端）が上記仕上げ材１２の屋外側で当該仕上げ材１２の上端面よりも下に位置することになる。
【００３６】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３７】
１      外壁
１１    下地壁（下地）
１２    仕上げ材
１６    ブラケット
２      笠木
２０    笠木本体部
２０ａ  屋外側垂部
２０ｂ  屋内側垂部
３      見切り部
３１    上側部位
３２    下側部位
３２ａ  屋外側端面
３２ｂ  最下面部
３００  見切り部
３０１  上側部位
３０２  下側部位
３０２ａ最下部
【図１】
2016069900.tif 000003
【図２】
2016069900.tif 000004
【図３】
2016069900.tif 000005
【図４】
2016069900.tif 000006
【図５】
2016069900.tif 000007
【図６】
2016069900.tif 000008
【図７】
2016069900.tif 000009
【図８】
2016069900.tif 000010
【図９】
2016069900.tif 000011
【図１０】
2016069900.tif 000012
【図１１】
2016069900.tif 000013